(57)【要約】【課題】  釣針に取付けた餌が沈む速度を調整でき、しかも、餌が沈んでいる途中で魚が餌を食った場合であっても、その反応を釣用うきに伝達して魚を釣るのに使用する釣用うきの取付け装置を提供することを目的とする。【解決手段】  内部に釣糸３７が自由に挿通可能で長さ方向の両端部を除く中央部分に連結部１１が形成されたパイプ部材１２と、連結部１１にその基部が取付けられその先部が釣用うき１３の下端取付け具１４に連結可能なうき連結手段１５とを有し、うき連結手段１５は揺動片２５とうき連結具２８を備え、揺動片２５をパイプ部材１２に傾動することができる。【選択図】        図１
2005073607.tif 000002
【特許請求の範囲】
【請求項１】
内部に釣糸が自由に挿通可能で長さ方向の両端部を除く中央部分に連結部が形成されたパイプ部材と、前記連結部にその基部が取付けられその先部が釣用うきの下端取付け具に連結可能なうき連結手段とを有することを特徴とする釣用うきの取付け装置。
【請求項２】
請求項１記載の釣用うきの取付け装置において、前記うき連結手段は、その基部が前記連結部に取付けられ先部に連結孔を有する揺動片と、該揺動片の連結孔にその基部が取付けられるうき連結具とを有し、更に、前記揺動片は前記パイプ部材の中心軸を含む平面内で傾動可能でしかも該揺動片のその角度位置で固定可能に前記連結部に取付けられていることを特徴とする釣用うきの取付け装置。
【請求項３】
請求項２記載の釣用うきの取付け装置において、前記うき連結具はスナップ付きサルカンであることを特徴とする釣用うきの取付け装置。
【請求項４】
請求項２及び３のいずれか１項に記載の釣用うきの取付け装置において、前記揺動片のその角度位置での固定は、ねじ締め手段を用いることを特徴とする釣用うきの取付け装置。
【請求項５】
請求項１〜４のいずれか１項に記載の釣用うきの取付け装置において、前記パイプ部材は、長尺の主パイプとその外側に摺動移動可能に装着された補助パイプとを有し、前記補助パイプに前記連結部が設けられていることを特徴とする釣用うきの取付け装置。
【請求項６】
請求項５記載の釣用うきの取付け装置において、前記パイプ部材には、前記主パイプの内側に更に摺動移動可能な内パイプを備え、該内パイプの引出し長を調整することによって、前記パイプ部材の全長を変更可能としていることを特徴とする釣用うきの取付け装置。
【請求項７】
請求項５及び６のいずれか１項に記載の釣用うきの取付け装置において、前記主パイプの両端部には、前記補助パイプの抜け止めを形成するストッパーがそれぞれ設けられていることを特徴とする釣用うきの取付け装置。
【請求項８】
請求項１〜７のいずれか１項に記載の釣用うきの取付け装置において、前記パイプ部材の全長は、４０〜１００ｍｍ、前記パイプ部材の内径は０．５〜２．５ｍｍであることを特徴とする釣用うきの取付け装置。
【発明の詳細な説明】
【技術分野】
【０００１】
本発明は、海や湖等で魚を釣る場合に使用し、釣糸（道糸とも呼ばれる）に釣用うきを装着するための釣用うきの取付け装置に関する。
【背景技術】
【０００２】
図４には、従来の移動うき用の釣用仕掛け５０の代表例を示す。この釣用仕掛け５０に使用する釣用うき５１は卵形状となって、下部には環状の下端取付け金具５２を有している。図示しない釣竿から導かれる釣糸（「道糸」とも呼ばれる）５３は、下端取付け金具５２を挿通して、その末端部が自在回転連結金具（一般に「サルカン」、「ヨリモドシ」と呼ばれる）５４に連結されている。釣糸５３には、サルカン５４の直前には重りとなる鉛玉５５が設けられ、下端取付け金具５２の前後には小径（２〜５ｍｍ）のプラスチック製の小球（一般にシモリ、シモリ玉と呼ばれる）５６、５７が設けられ、釣糸５３の手前側所定箇所にはストッパー５８が設けられている（非特許文献１の頁２８、頁２９、頁３２、頁３３参照）。
そして、サルカン５４の下側には、所定長の細い釣糸（「ハリス」と呼ばれる）５９を介して釣針６０が設けられている。この釣針６０には対象魚に応じてその好みの餌６１が取付けられている。
【０００３】
従って、この釣用仕掛け５０を海や湖等に投入するときは、釣用うき５１は釣糸５３の先部に位置するが、仕掛けを投入して着水すると、鉛玉５５等によって餌６１の付いた釣針６０が徐々に沈んでいき、下端取付け金具５２及び小球５７がストッパー５８の位置まで移動した時点で、仕掛けの投入が完了する。
その他、釣用うきをゴム管等を介して釣糸の所定位置に取付ける固定うき仕掛けも一般に使用されている（非特許文献１の頁１９９参照）。なお、以下、単に「仕掛け」と言った場合には、釣用うきより下側に位置する器具の総称（例えば、図４においては、鉛玉５５、サルカン５４、ハリス５９、釣針６０及び餌６１の集合体）をいう。
【０００４】
【非特許文献１】柴田忠秋著「図解早わかり釣り仕掛け集」、株式会社西東社、１９８９年６月１日発行、頁２８、頁２９、頁３２、頁３３、頁１９９
【発明の開示】
【発明が解決しようとする課題】
【０００５】
しかしながら、以上の釣用仕掛け５０等においては、釣用うき５１の下端取付け金具５２及び小球５７を釣糸５３が自由に挿通するので、釣用うき５１の下部に位置する釣糸５３が垂直状態になって、餌６１の付いた釣針６０が所定の深さまで達しなければ、釣針６０に設けられた餌６１を食する魚の反応が伝わらないという問題がある。
【０００６】
勿論、釣用仕掛け５０においては、下端取付け金具５２及び小球５７と釣糸５３との間に小さな摩擦があるので、魚が餌６１を食して急速に下降する場合には、釣用うき５１に当たり反応、即ち魚信反応が出るが、その他の場合、餌６１の付いた釣針６０が沈んでいる途中で魚が食するのを釣用うき５１に反応させることは困難であった。
本発明はかかる事情に鑑みてなされたもので、釣針に取付けた餌が沈む速度を遅くし、餌が沈んでいる途中で魚が餌を食った場合であっても、その反応を釣用うきに伝達して、魚を釣るのに使用する釣用うきの取付け装置を提供することを目的とする。
【課題を解決するための手段】
【０００７】
前記目的に沿う請求項１記載の釣用うきの取付け装置は、内部に釣糸が自由に挿通可能で長さ方向の両端部を除く中央部分に連結部が形成されたパイプ部材と、前記連結部にその基部が取付けられその先部が釣用うきの下端取付け具に連結可能なうき連結手段とを有する。
この釣用うきの取付け装置においては、パイプ部材の中央部分に設けられた連結部に釣用うきの下端取付け具に連結可能なうき連結手段を取付けているので、釣糸を挿通するパイプ部材が傾斜状態となって、先部に仕掛けが設けられた釣糸に抵抗がかかり、仕掛けがゆっくりと水中に沈む。この場合、釣針に取付けられている餌を魚が食して引き込んだ場合、その魚信がより大きな動作となって釣用うきに現れる。
【０００８】
請求項２記載の釣用うきの取付け装置は、請求項１記載の釣用うきの取付け装置において、前記うき連結手段は、その基部が前記連結部に取付けられ先部に連結孔を有する揺動片と、該揺動片の連結孔にその基部が取付けられるうき連結具とを有し、更に、前記揺動片は前記パイプ部材の中心軸を含む平面内で傾動可能でしかも該揺動片のその角度位置で固定可能に前記連結部に取付けられている。
請求項２記載の釣用うきの取付け装置において、パイプ部材に設けられている連結部に揺動片が傾動可能に設けられているので、この釣用うきの取付け装置を釣用うきに取付けた場合、釣用うきの軸心に対してパイプ部材の軸心の傾きを揺動片を傾動させることによって変えることができる。これによって、釣糸がパイプ部材を挿通する摺動抵抗を変えることができ、仕掛けの沈み速度及び魚信の感度具合を調整できる。
【０００９】
請求項３記載の釣用うきの取付け装置は、請求項２記載の釣用うきの取付け装置において、前記うき連結具はスナップ付きサルカンである。これによって、釣用うきへの連結が容易に行え、更には、仕掛けに捩じりが発生することを防止できる。
【００１０】
請求項４記載の釣用うきの取付け装置は、請求項２及び３記載の釣用うきの取付け装置において、前記揺動片のその角度位置での固定は、ねじ締め手段を用いる。これによって、揺動片の角度位置の調整及び固定が自由にできる。
【００１１】
請求項５記載の釣用うきの取付け装置は、請求項１〜４記載の釣用うきの取付け装置において、前記パイプ部材は、長尺の主パイプとその外側に摺動移動可能に装着された補助パイプとを有し、前記補助パイプに前記連結部が設けられている。これによって、補助パイプを主パイプに対して移動させることによって、釣用うきの下方に下がる釣用うきの取付け装置の吊り下げ位置を変えることができ、結果としてパイプ部材の角度を変えることができる。
【００１２】
請求項６記載の釣用うきの取付け装置は、請求項５記載の釣用うきの取付け装置において、前記パイプ部材には、前記主パイプの内側に更に摺動移動可能な内パイプを備え、該内パイプの引出し長を調整することによって、前記パイプ部材の全長を変更可能としている。これによって、釣糸に対するパイプ部材の抵抗を積極的に変えることができる。
【００１３】
請求項７記載の釣用うきの取付け装置は、請求項５及び６記載の釣用うきの取付け装置において、前記主パイプの両端部には、前記補助パイプの抜け止めを形成するストッパーがそれぞれ設けられている。これによって、補助パイプが主パイプから抜けてしまうのを防止できる。
【００１４】
そして、請求項８記載の釣用うきの取付け装置は、請求項１〜７記載の釣用うきの取付け装置において、前記パイプ部材の全長は、４０〜１００ｍｍ、前記パイプ部材の内径は０．５〜２．５ｍｍである。実用上、この寸法範囲とするのが好ましい。
【発明の効果】
【００１５】
請求項１〜８記載の釣用うきの取付け装置においては、以上の説明からも明らかなように、パイプ部材の両側を除く中央部分に設けられた連結部に釣用うきの下端取付け具に連結可能なうき連結手段を取付けているので、釣糸を挿通するパイプ部材が傾斜状態となって、先部に仕掛けが設けられた釣糸に抵抗がかかり、仕掛けがゆっくりと水中に沈む。
そして、餌がゆっくりと沈む過程において、釣針に取付けられている餌を魚が食して引き込んだ場合、釣糸とこの釣用うきの取付け装置との摩擦によって、釣用うきがより大きな動作の魚信となって、釣用うきに現れる。従って、仕掛けが沈む途中に餌を食する魚種であっても、釣ることが可能となる。
【００１６】
特に、請求項２記載の釣用うきの取付け装置は、うき連結手段は、その基部が連結部に取付けられ先部に連結孔を有する揺動片と、揺動片の連結孔にその基部が取付けられるうき連結具とを有し、更に、揺動片はパイプ部材の中心軸を含む平面内で傾動可能でしかも揺動片のその角度位置で固定可能に連結部に取付けられているので、釣用うきの軸心に対してパイプ部材の軸心の傾きを揺動片を傾動させることによって変えることができ、釣糸がパイプ部材を挿通する摺動抵抗を変えることができて、仕掛けの沈み速度及び魚信の感度具合を調整できる。
【００１７】
請求項３記載の釣用うきの取付け装置は、うき連結具はスナップ付きサルカンであるので、釣用うきへの連結が容易に行え、更には、仕掛けに捩じりが発生することを防止できる。
請求項４記載の釣用うきの取付け装置は、揺動片のその角度位置での固定は、ねじ締め手段を用いているので、揺動片の角度位置の調整及び固定が自由にでき、長期間使用しても緩みなく揺動片を固定できる。
請求項５記載の釣用うきの取付け装置は、パイプ部材は、長尺の主パイプとその外側に摺動移動可能に装着された補助パイプとを有し、補助パイプに連結部が設けられている。これによって、補助パイプを主パイプに対して移動させることが可能となり、結果としてパイプ部材の角度を変えることができる。
【００１８】
請求項６記載の釣用うきの取付け装置は、パイプ部材には、主パイプの内側に更に摺動移動可能な内パイプを備え、内パイプの引出し長を調整することによって、パイプ部材の全長を変更可能となる。これによって、釣糸に対するパイプ部材の抵抗及び水平面に対する角度を積極的に変えることができる。
請求項７記載の釣用うきの取付け装置は、主パイプの両端部には、補助パイプの抜け止めを形成するストッパーがそれぞれ設けられているので、補助パイプが主パイプから抜けてしまうのを防止できる。
【発明を実施するための最良の形態】
【００１９】
続いて、添付した図面を参照しつつ、本発明を具体化した実施の形態につき説明し、本発明の理解に供する。
ここに、図１は本発明の一実施の形態に係る釣用うきの取付け装置の使用状態を示す斜視図、図２は同正面図、図３は同側断面図である。
【００２０】
本発明の一実施の形態に係る釣用うきの取付け装置１０は、連結部１１が外側に設けられたパイプ部材１２と、連結部１１にその基部が取付けられその先部が釣用うき１３の下端取付け具１４に連結可能なうき連結手段１５とを有する。以下、これらについて詳しく説明する。
【００２１】
パイプ部材１２は、長尺の主パイプ１６とその外側に摺動移動可能に装着された補助パイプ１７とを有し、補助パイプ１７に前記した連結部１１が設けられている。主パイプ１６は、更に内側に摺動移動可能な内パイプ１８を備え、内パイプ１８の引出し長を調整することによって、パイプ部材１２の全長を変更可能としている。なお、主パイプ１６の外側に装着された補助パイプ１７及び主パイプ１６の内側に装着された内パイプ１８は、主パイプ１６に対して隙間がゼロ（直径に対して＋−１／２０００〜１／１０００程度の誤差を有する場合も含む）であって、容易に補助パイプ１７が主パイプ１６に対して移動しないようにするのが好ましい。なお、内パイプ１８の内側に更に突起（凸条）を長さ方向に１又は２以上設けて、釣糸に抵抗を与えることもできる。
【００２２】
主パイプ１６及び内パイプ１８は硬質のプラスチック（例えば、ＡＢＳ、ポリプロピレン、ポリカーボネイト、ナイロン、塩化ビニール）からなって、この実施の形態では補助パイプ１７は金属（例えば、アルミニウム、耐蝕性アルミ合金、ステンレス、真鍮、銅、チタン）からなっているが、硬質プラスチックとしてもよい。
そして、主パイプ１６の一方側には、主パイプ１６の直径より僅少の範囲で大きいストッパー管１９が設けられている。このストッパー管１９は主パイプ１６と一体であるが、別パイプによって構成してもよい。主パイプ１６の他方側から内パイプ１８は突出し、内パイプ１８の他方側の端部には、主パイプ１６の外径より少しの範囲で大きい拡径部２０が設けられている。拡径部２０を除く内パイプ１８の全長は、主パイプ１６の全長と同一となっている。また、拡径部２０の全長は、ストッパー管１９の長さと同一となって、ストッパー管１９及び拡径部２０は補助パイプ１７が主パイプ１６から抜けるのを防止するストッパーの役目を果たしている。なお、ストッパー管１９又は拡径部２０の外側部分を金属パイプ（例えば、アルミニウム、ステンレス）によって構成し、この部分を重りとすることもできる。この場合、パイプ部材１２の傾きを積極的に保持することができる。
【００２３】
なお、この実施の形態においては、補助パイプ１７（例えば、アルミニウム、チタン）は金属で造られているので、その横移動を防止する硬質プラスチック製の位置決め管２１、２２がその両側に設けられている。この位置決め管２１、２２の内径は主パイプ１６の外径と実質同一（例えば、＋−１／１０００以内）となって、容易に主パイプ１６に沿って移動しない構造となっている。釣り人が十分な力を加えると、位置決め管２１、２２及び補助パイプ１７は、主パイプ１６に沿って移動させることが可能となっている。また、内パイプ１８も釣り人が十分な力を加えると、主パイプ１６に対して進退できる構造となっている。なお、この位置決め管２１、２２を主パイプ１６の外径より内径の小さいゴム管（合成樹脂製を含む）で構成することもできる。
【００２４】
また、補助パイプ１７を硬質プラスチックによって形成し、主パイプ１６に辛うじて移動可能に装着し、位置決め管２１、２２を省略することもできる。
また、主パイプに対して補助パイプの位置が固定である場合には、補助パイプと主パイプを一体物で作ることもできる。この場合は、パイプ部材は主パイプのみとなる。
内パイプ１８を縮めた状態のパイプ部材１２の全長は、４０〜１００ｍｍ、パイプ部材１２の内径、即ち、内パイプ１８の内径は０．３〜３ｍｍ（好ましくは、０．８〜２ｍｍ）となっている。ストッパー管１９の長さは４〜６ｍｍ程度である。
【００２５】
この実施の形態ではパイプ部材１２は、主パイプ１６と補助パイプ１７によって構成され、連結部１１は補助パイプ１７の長さ方向の中央側一部に設けられている。連結部１１は一枚の板からなる軸受状となって、連結部１１の中心位置に貫通孔２３が設けられている。なお、貫通孔２３の中心と補助パイプ１７の中心間距離は５〜１２ｍｍ程度となっている。また、貫通孔２３の周囲が軸受部を形成する。
この実施の形態では一枚の板によって連結部１１を構成したが、通常の軸受と同様、隙間を有する２枚の板によって連結部を構成することもできる。
【００２６】
この連結部１１の貫通孔２３には、ピン２４を介して揺動片２５の基部がパイプ部材１２の中心軸を含む平面内で傾動可能に設けられている。ピン２４はこの実施の形態では蝶ボルトからなって、揺動片２５の基部を貫通させた後、蝶ナット２６によって締結されている。揺動片２５の先部には連結孔となるリング２７が形成され、リング２７の中心と揺動片２５の基部との中心間距離は、６〜２０ｍｍ程度となっている。
従って、蝶ナット２６を緩めて揺動片２５の傾きを決めて、蝶ナット２６を締めると揺動片２５の連結部１１の軸線ｍに対する角度βが決定される。なお、雄ねじが形成されたピン２４の基部を、揺動片２５の基部又は連結部１１に固定することも可能である。
【００２７】
この揺動片２５のリング２７には、うき連結具の一例であるスナップ付きサルカン（スナップ付きヨリモドシ、スナップサルカンとも呼ばれる）２８の基部が装着されている。なお、スナップ付きサルカンについては、例えば前記した非特許文献１の２３頁、特開２０００−０７９２９６号公報、特開２０００−０６０３８１号公報において知られている。
スナップ付きサルカン２８には、ボール部２９、このボール部２９の上下からそれぞれ回動自在に突出するリング３０、３１及びリング３０に接続されるフック部３２とを有し、フック部３２が釣用うき１３の下端取付け具１４（図１参照）に連結されている。なお、この実施の形態においては、揺動片２５、スナップ付きサルカン２８及びピン２４及び蝶ナット（雌ねじ）２６を備えて、前記したうき連結手段１５が形成されている。なお、この釣用うきの取付け装置１０の比重は海水の比重より大きく、しかも全体の重量からその浮力を差し引いた沈み力は、釣用うき１３の浮力より小さくなっている。
【００２８】
従って、この釣用うきの取付け装置１０を使用する場合には、補助パイプ１７及びその両側に配置された位置決め管２１、２２を調整して、主パイプ１６の長さ方向に対する補助パイプ１７の位置を決める。なお、パイプ部材１２の長さを更に長くする場合には、内パイプ１８を引き出す。次に、蝶ナット２６を緩めて揺動片２５の角度を調整し、蝶ナット２６を締めて連結部１１に対する揺動片２５の角度βを固定する。この状態で、スナップ付きサルカン２８を釣用うき１３の下端取付け具１４に固定する。
【００２９】
以上の前準備が終わった段階で、釣竿３５に取付けられたリール３６から釣糸（ライン）３７を引出し、シモリ玉（プラスチック製小球、なお省略してもよい）３８に挿通させた後、パイプ部材１２に挿通する。
パイプ部材１２を挿通した釣糸３７の先部には仕掛けを取付ける。この仕掛けは、例えば、図４に示すように、必要な小球（シモリ玉）５６、鉛玉（重り）５５及びサルカン（ヨリモドシ）５４を取付ける。サルカン５４には更に所定長さのハリス（細い釣糸）５９を介して釣針６０を備えて構成される。釣針６０には当然餌６１を付けることになる。なお、鉛玉５５は、釣用うき１３の浮力、この釣用うきの取付け装置１０の重量を考慮して決定され、釣用うき１３の上半分が水面から突出するようにするのが好ましい。
【００３０】
そして、以上の構成によって形成される釣用仕掛けを、釣竿３５を使って海等の所定の釣りのポイントに投入する。釣用うき１３が着水すると、釣用うき１３の下部に付いている釣用うきの取付け装置１０が海水の比重より僅少の範囲で大きいので、直ぐに釣用うき１３が直立する。この場合、釣用うきの取付け装置１０の補助パイプ１７の位置が必ずしもパイプ部材１２の中心ではなく、更に揺動片２５が傾いているので、釣用うき１３の軸心に対してパイプ部材１２の角度が直角ではなく、パイプ部材１２が水平方向から角度αだけ傾くことになる。なお、好ましくは、パイプ部材１２は水平に対して＋−４５度の範囲で上下方向に傾かせるのがよい。
【００３１】
この状態で水中に投入されると、鉛玉５５を含む仕掛けが沈み始める。この場合、パイプ部材１２（即ち、内パイプ１８又は内パイプ１８と主パイプ１６）内を挿通する釣糸３７が抵抗となって、鉛玉５５以下の仕掛け（餌６１の付いた釣針６０を含む）が徐々に沈降することになる。
そして、この場合の仕掛けの沈降速度は、パイプ部材１２の水平面に対する角度αとその全長によって変化する。即ち、パイプ部材１２の水平面に対する上向き角度αが大きい場合には、パイプ部材１２から出た釣糸３７の曲がりが少ないので、パイプ部材１２による抵抗が少なく、水平面に近づくにつれて釣糸３７に対するパイプ部材１２の滑り抵抗が大きくなる。そして、水平面からマイナス側にパイプ部材１２が傾く、即ち、水平面に対する上向き角度αが負になると、更に釣糸３７の抵抗が大きくなって、仕掛けはゆっくり沈むことになる。
【００３２】
また、パイプ部材１２の全長が長い場合も同様で釣糸３７により抵抗がかかり仕掛けの沈降速度が小さくなる。
ここで、魚が餌６１を食して移動した場合、例えば、餌６１の沈降速度より魚の下方移動速度が大きい場合、釣用うき１３に魚信反応が生じる。
なお、仕掛けの沈降速度を魚によって変えるためには  この釣用うきの取付け装置１０において、（イ）位置決め管２１、２２及び補助パイプ１７の位置を変える、（ロ）揺動片２５の角度βを変える、（ハ）パイプ部材１２の全長を変えることによって行うことができる。勿論、仕掛けの重さ、具体的には鉛玉５５の大きさを変えれば仕掛けの沈降速度は変わるので、この釣用うきの取付け装置１０を前記（イ）〜（ハ）のように調整することによって、パイプ部材１２の水平面に対する角度αを変えることができる。
なお、釣糸３７にはシモリ玉３８が設けられ、更にその基側にストッパー（うき止め）３９が設けられ、仕掛けの最大沈み位置を決めるようになっているが、省略してもよい。
【００３３】
この実施の形態に係る釣用うきの取付け装置１０においては、（１）位置決め管２１、２２及び補助パイプ１７の位置を変える手段、（２）揺動片２５の角度βを変える手段、（３）パイプ部材１２の全長を変える手段の全てを適用した例を示しているが、（１）〜（３）手段のいずれか１又は２のみを用いる釣用うきの取付け装置であっても本発明は適用される。
また、前記実施の形態においては、理解を容易にするため、数字（寸法）を用いて説明したが、本発明は要旨の変更しない範囲でこの数字に限定されるものではない。
更に、揺動片２５の回動には、ねじ締め手段として蝶ボルトや蝶ナットを用いたが他のねじ締め手段でもよいし、例えば、前記した（１）手段や（３）手段を使用する場合には、揺動片は省略し（又は連結部１１と一体化し）、連結部１１（又は一体化した揺動片）に直接スナップ付きサルカン等のうき連結具を取付けてもよい。
【図面の簡単な説明】
【００３４】
【図１】本発明の一実施の形態に係る釣用うきの取付け装置の使用状態を示す斜視図である。
【図２】同正面図である。
【図３】同側断面図である。
【図４】従来例に係る釣用仕掛けの説明図である。
【符号の説明】
【００３５】
１０：釣用うきの取付け装置、１１：連結部、１２：パイプ部材、１３：釣用うき、１４：下端取付け具、１５：うき連結手段、１６：主パイプ、１７：補助パイプ、１８：内パイプ、１９：ストッパー管、２０：拡径部、２１、２２：位置決め管、２３：貫通孔、２４：ピン、２５：揺動片、２６：蝶ナット、２７：リング、２８：スナップ付きサルカン、２９：ボール部、３０、３１：リング、３２：フック部、３５：釣竿、３６：リール、３７：釣糸、３８：シモリ玉、３９：ストッパー
【図１】
2005073607.tif 000003
【図２】
2005073607.tif 000004
【図３】
2005073607.tif 000005
【図４】
2005073607.tif 000006